(57)【要約】【課題】通信相手の通信機器が複数のルータのいずれかに接続されているときに、その通信相手の接続先のルータへの自装置の接続を支援すること。【解決手段】無線通信機能と表示部とを有するスマートフォン１と、無線通信機能を有する家電製品４と、複数の無線ＬＡＮルータ２とを備える機器制御システムであって、家電製品４の無線通信機能は、複数の無線ＬＡＮルータ２のいずれかとの接続を維持し、スマートフォン１の無線通信機能は、複数の無線ＬＡＮルータ２のいずれかに接続し、スマートフォン１の表示部は、自身が接続した無線ＬＡＮルータ２と、家電製品４が接続を維持する無線ＬＡＮルータ２とが一致しない場合、警告を出力する。【選択図】  図３
2019161493.tif 000002
【特許請求の範囲】
【請求項１】
無線通信機能と表示部とを有する第１通信機器と、
無線通信機能を有する第２通信機器と、
複数の無線ルータとを備える環境において実行される接続ルータ判定方法であって、
前記第２通信機器の無線通信機能が、前記複数の無線ルータのいずれかとの接続を維持する手順と、
前記第１通信機器の無線通信機能が、前記複数の無線ルータのいずれかに接続する手順と、
前記第１通信機器の前記表示部が、自身が接続した無線ルータと、前記第２通信機器が接続を維持する無線ルータとが一致しない場合、警告を出力する手順を実行することを特徴とする
接続ルータ判定方法。
【請求項２】
前記警告を出力する手順において、前記第１通信機器の表示部が、前記第２通信機器が接続を維持する無線ルータに関する情報を、正しい接続先として出力する手順を実行することを特徴とする
請求項１に記載の接続ルータ判定方法。
【請求項３】
前記正しい接続先として出力する手順において、前記第１通信機器の表示部が、前記第１通信機器の接続先を正しい接続先である無線ルータに切り替えるための操作部を出力する手順を実行することを特徴とする
請求項２に記載の接続ルータ判定方法。
【請求項４】
前記第１通信機器の無線通信機能が、前記第２通信機器の無線通信機能が接続を維持する無線ルータのＩＤ情報を、前記第２通信機器に通知させるとともに前記第１通信機器の記憶部に格納する手順と、
前記警告を出力する手順において、前記第１通信機器が、自身の前記記憶部に格納されたＩＤ情報と自身が接続した無線ルータのＩＤ情報とを照合することで、警告を出力するか否かを判定する手順を実行することを特徴とする
請求項１ないし請求項３のいずれか１項に記載の接続ルータ判定方法。
【請求項５】
無線通信機能と表示部とを有する第１通信機器と、
無線通信機能を有する第２通信機器と、
複数の無線ルータとを備える機器制御システムであって、
前記第２通信機器の無線通信機能は、前記複数の無線ルータのいずれかとの接続を維持し、
前記第１通信機器の無線通信機能は、前記複数の無線ルータのいずれかに接続し、
前記第１通信機器の前記表示部は、自身が接続した無線ルータと、前記第２通信機器が接続を維持する無線ルータとが一致しない場合、警告を出力することを特徴とする
機器制御システム。
【発明の詳細な説明】
【技術分野】
【０００１】
本発明は、接続ルータ判定方法、および、機器制御システムに関する。
【背景技術】
【０００２】
近年、インターネットに接続可能な掃除機や洗濯機、冷蔵庫、エアコンなどの家電製品が、ＩｏＴ（Internet of Things）として普及している。これにより、宅外から家電製品の情報を取得したり操作したりすることが可能である。このような家電製品は、自身で直接インターネットに接続する通信機能を有するよりも、宅内の無線ネットワークにローカル接続し、その無線ネットワークを介してインターネットに接続することが多い。
特許文献１には、アクセスポイントと無線ネットワークで接続されるプロジェクタが記載されている。
特許文献２には、無線ネットワーク対応プリンタが記載されている。
【０００３】
また、一般家庭において、複数の無線ＬＡＮ（Local Area Network）ルータやネットワーク接続可能な家電機器が存在することが珍しくない。そこで、特許文献３には、無線ＬＡＮ端末の存在する区域を特定する方法が記載されている。
【先行技術文献】
【特許文献】
【０００４】
【特許文献１】特開２０１０−２１９８５３号公報
【特許文献２】特開２００６−３３３０８３号公報
【特許文献３】特開２００４−３２８５２４号公報
【発明の概要】
【発明が解決しようとする課題】
【０００５】
スマートフォンなどの端末から家電製品を操作するためには、不正操作などを回避するため、一般的にペアリングという操作を行い、ペアリングされた機器からのみ操作可能となるようにしている。宅内に複数の無線ＬＡＮルータが存在するときには、ペアリングを行う際に１つの無線ＬＡＮルータを家電製品の接続先に指定することで、その無線ＬＡＮルータを介して、スマートフォンと家電製品とがペアリング後に通信可能となる。
【０００６】
しかし、スマートフォンがペアリング後に通常接続する無線ＬＡＮルータは、家電製品の接続先の無線ＬＡＮルータとは別のルータである可能性もある。通常接続する無線ＬＡＮルータは、例えば直前の接続先と同じルータを選ぶなど、単純な手法で決まるためである。
このとき、家電製品の接続先である無線ＬＡＮルータとは別の無線ＬＡＮルータとスマートフォンとが通常接続してしまうと、ペアリングが成功したにもかかわらず、スマートフォンと家電製品との通信ができない。
【０００７】
このように、ペアリングをした家電製品から無線ＬＡＮへの接続切替えを行う場合に、スマートフォンが自動で接続する無線ＬＡＮルータがユーザの期待するものにならないことがある。よって、操作端末から無線ＬＡＮを経由しローカルネットワークで家電機器を操作する場合、宅内に複数の無線ＬＡＮルータが存在すると、特別な対処を行わない限りローカルネットワーク内で通信を行うことができない。
【０００８】
そこで、本発明は、通信相手の通信機器が複数のルータのいずれかに接続されているときに、その通信相手の接続先のルータへの自装置の接続を支援することを、主な課題とする。
【課題を解決するための手段】
【０００９】
前記課題を解決するために、本発明は、無線通信機能と表示部とを有する第１通信機器と、無線通信機能を有する第２通信機器と、複数の無線ルータとを備える環境において実行される接続ルータ判定方法であって、
前記第２通信機器の無線通信機能が、前記複数の無線ルータのいずれかとの接続を維持する手順と、
前記第１通信機器の無線通信機能が、前記複数の無線ルータのいずれかに接続する手順と、
前記第１通信機器の前記表示部が、自身が接続した無線ルータと、前記第２通信機器が接続を維持する無線ルータとが一致しない場合、警告を出力する手順を実行する接続ルータ判定方法である。
その他の手段は、後記する。
【発明の効果】
【００１０】
本発明によれば、通信相手の通信機器が複数のルータのいずれかに接続されているときに、その通信相手の接続先のルータへの自装置の接続を支援することができる。
【図面の簡単な説明】
【００１１】
【図１】本発明の一実施形態に関する機器制御システムの構成図である。
【図２】本発明の一実施形態に関する家電製品が複数存在するときの機器制御システムの構成図である。
【図３】本発明の一実施形態に関する図１の機器制御システムのスマートフォンおよび家電製品についての詳細な構成図である。
【図４】本発明の一実施形態に関する図３のスマートフォンについて、ペアリング後の接続時における信号の流れを示す構成図である。
【図５】本発明の一実施形態に関する接続情報の初期データを示す説明図である。
【図６】本発明の一実施形態に関する図５の初期データに対して、図１の家電製品のエントリが登録された接続情報を示す説明図である。
【図７】本発明の一実施形態に関する図６のデータに対して、図２の家電製品のエントリも登録された接続情報を示す説明図である。
【図８】本発明の一実施形態に関するアプリケーションのペアリング時の動作を示すフローチャートである。
【図９】本発明の一実施形態に関する図８のペアリング動作後の接続確認の動作を示すフローチャートである。
【図１０】本発明の一実施形態に関するペアリングを済ませた家電製品がアプリケーションから操作対象として選択されたときの接続動作を示すフローチャートである。
【図１１】本発明の一実施形態に関する図９，図１０で説明した各種メッセージの表示画面例である。
【図１２】本発明の一実施形態に関する図１の機器制御システムを構成する複数の装置に着目したシーケンス図である。
【発明を実施するための形態】
【００１２】
以下、本発明の一実施形態を、図面を参照して詳細に説明する。
【００１３】
図１は、機器制御システムの構成図である。機器制御システムは、スマートフォン（第１通信機器）１、無線ＬＡＮルータ２ａ，２ｂ（複数の無線ルータ）、および、家電製品（第２通信機器）４ａで構成される。この機器制御システムでは、同じ部屋の中や同じ家の中に、複数台の無線ＬＡＮルータ２ａ，２ｂが配置される。これにより、空間内のすみずみまで無線電波をカバーすることができる。
スマートフォン１は、ＣＰＵ（Central Processing Unit）とメモリと記憶装置とタッチパネルとを有しており、記憶装置からメモリに読み込んだプログラムを実行する携帯型のコンピュータとして構成される。
家電製品４ａは、洗濯機、冷蔵庫、エアコン、自走可能な車輪付きの掃除機などの家電機器である。以下の説明では、個別の家電製品４ａに依存しない説明の場合は、「家電製品４」とする。
無線ＬＡＮルータ２ａ，２ｂは、それぞれスマートフォン１や家電製品４がインターネット上のサーバなどの外部ネットワーク（図示省略）に接続するときの中継装置であるとともに、スマートフォン１と家電製品４との通信（ローカル通信）も中継する。以下の説明では、個別の無線ＬＡＮルータ２ａ，２ｂに依存しない説明の場合は、「無線ＬＡＮルータ２」とする。
【００１４】
なお、本実施形態では、説明をわかりやすくするために、スマートフォン１の接続先の無線ＬＡＮが複数同時に存在する状況を、物理的に複数台の無線ＬＡＮルータ２が配置される例とした。一方、接続先の無線ＬＡＮが複数同時に存在する状況として、１台の無線ＬＡＮルータ２が複数の無線ＬＡＮ（5GHz帯の無線ＬＡＮと、2.4GHz帯の無線ＬＡＮなど）を形成する例に適用してもよい。
【００１５】
以下、Wi-Fi（登録商標）などの無線ＬＡＮ規格に従って形成される無線接続７１〜７４を説明する。
スマートフォン１は、無線接続７４を介して無線ＬＡＮルータ２ａと接続することで、無線ＬＡＮルータ２ａを中継装置としてインターネットに接続できる。または、スマートフォン１は、無線接続７３を介して無線ＬＡＮルータ２ｂと接続しても、無線ＬＡＮルータ２ｂを中継装置としてインターネットに接続できる。つまり、スマートフォン１は、無線接続７４または無線接続７３のいずれかを用いて一台の無線ＬＡＮルータ２と接続する。
【００１６】
一方、家電製品４ａが無線ＬＡＮルータ２を介してインターネットに接続するためには、無線ＬＡＮルータ２に接続するための設定情報をスマートフォン１に通知してもらう必要がある。そのため、スマートフォン１は家電製品４ａと無線接続７１で直接接続し、その無線接続７１を介して互いの装置の情報を交換する処理を行う。この情報交換処理を以下では「ペアリング」と呼ぶ。
家電製品４ａは、無線接続７１を介したスマートフォン１とのペアリングにより無線ＬＡＮルータ２ａの設定情報を受信する。そして、ペアリング後には、家電製品４ａは、受信した設定情報を用いて無線ＬＡＮルータ２ａとの無線接続７２を確立し、その無線接続７２を介してインターネットに接続できる。
さらに、ペアリング後には、スマートフォン１の無線接続７４と、家電製品４ａの無線接続７２とが同じ接続先（＝無線ＬＡＮルータ２ａ）であるので、この無線ＬＡＮルータ２ａを介してスマートフォン１と家電製品４ａとのローカル通信が可能となる。
【００１７】
図２は、家電製品が複数存在するときの機器制御システムの構成図である。家電製品４として、図１の家電製品４ａに加えて、家電製品４ｂも存在する。
家電製品４ｂは、無線接続７５を介したスマートフォン１とのペアリングにより無線ＬＡＮルータ２ｂの設定情報を受信する。そして、ペアリング後には、家電製品４ｂは、受信した設定情報を用いて無線ＬＡＮルータ２ｂとの無線接続７６を確立する。
これにより、スマートフォン１は、無線接続７４→無線ＬＡＮルータ２ａ→無線接続７２を介して、家電製品４ａに操作信号を送信できる。一方、スマートフォン１は、無線接続７３→無線ＬＡＮルータ２ｂ→無線接続７６を介して、家電製品４ｂに操作信号を送信できる。
ただし、スマートフォン１が無線接続７４を用いている状態では、無線ＬＡＮルータ２ａに接続していない家電製品４ｂには、操作信号を送信できない。よって、スマートフォン１の接続先は、操作したい家電製品４へと向かう無線ＬＡＮルータ２である必要がある。
【００１８】
図３は、図１の機器制御システムのスマートフォン１および家電製品４ａについての詳細な構成図である。スマートフォン１内の矢印が示す信号の流れは、ペアリング時のものである。
スマートフォン１は、アプリケーション１０と、無線ＬＡＮ接続部１１とを備える。無線ＬＡＮ接続部１１は、ペアリング時に家電製品４と接続する。アプリケーション１０は、判定部１０１と、表示部１０２と、接続情報１０３と、操作部１０４と、送受信部１０５とを備える。
【００１９】
接続情報１０３は、無線ＬＡＮルータ２に接続するためのＳＳＩＤ（Service Set IDentifier）などの設定データである（詳細は図５〜図７）。
送受信部１０５は、接続情報１０３のＳＳＩＤを家電製品４の送受信部４１に送信し、家電製品４の固有番号を家電製品４の送受信部４１から受信することで、家電製品４との間でペアリングを実行する。
なお、無線ＬＡＮルータ２が受け付ける無線ＬＡＮの認証方式に応じて、ＳＳＩＤにログインするためのパスワード（暗号化キー）などの認証情報も必要になることもある。そのときには、スマートフォン１は、ペアリング時にＳＳＩＤに加えて、その認証情報も含めて家電製品４に通知してもよい。
【００２０】
家電製品４は、送受信部４１を介して受信したＳＳＩＤ（および認証情報）を接続情報４２として保存することにより、今後その接続情報４２を用いて無線ＬＡＮルータ２と接続することができる。
操作部１０４は、ペアリング時の操作をユーザから受けて送受信部１０５にペアリングを指示し、その結果取得した家電製品４の固有番号を接続情報１０３に書き出す。
以下、判定部１０１、表示部１０２について、図４を参照して説明する。
【００２１】
図４は、図３のスマートフォン１について、ペアリング後の接続時における信号の流れを示す構成図である。
無線ＬＡＮ接続部１１は、図３のペアリング時の家電製品４から無線ＬＡＮルータ２に、スマートフォン１の接続先を変更する。
判定部１０１は、無線ＬＡＮ接続部１１の接続先である無線ＬＡＮルータ２のＳＳＩＤと、ペアリング時に接続情報１０３として保存した家電製品４が接続するＳＳＩＤとを照合する。この照合処理により、判定部１０１は、無線ＬＡＮ接続部１１がペアリング相手の家電製品４へと向かう無線ＬＡＮルータ２（換言すると、期待した無線ＬＡＮ、正しい無線ＬＡＮ）に接続しているかどうかを判定する。
表示部１０２は、判定部１０１の判定結果を表示することで、期待した無線ＬＡＮにスマートフォン１も接続できるように支援する（詳細は図１１）。送受信部１０５は、期待した無線ＬＡＮを介して、家電製品４の送受信部４１との間で操作信号などのデータを送受信することができる。よって、操作部１０４はペアリング後の家電製品４に対する操作をユーザから受け付ける。
【００２２】
図５は、接続情報１０３の初期データを示す説明図である。接続情報１０３は、家電製品４の固有番号と、その家電製品４に接続させる無線ＬＡＮルータ２の接続情報４２（ＳＳＩＤ）とを対応付けて保存される。初期データでは、エントリが存在しない。
図６は、図５の初期データに対して、図１の家電製品４ａのエントリが登録された接続情報１０３を示す説明図である。家電製品４ａは、無線ＬＡＮルータ２ａとの無線接続７２が確立された。よって、家電製品４ａの固有番号（＝Ｄ００１）と、無線ＬＡＮルータ２ａのＳＳＩＤ（＝Ｒ００１）との対応データが、接続情報１０３に登録される。
図７は、図６のデータに対して、図２の家電製品４ｂのエントリも登録された接続情報１０３を示す説明図である。家電製品４ｂは、無線ＬＡＮルータ２ｂとの無線接続７６が確立された。よって、家電製品４ｂの固有番号（＝Ｄ００２）と、無線ＬＡＮルータ２ｂのＳＳＩＤ（＝Ｒ００２）との対応データが、接続情報１０３に登録される。
【００２３】
図８は、アプリケーション１０のペアリング時の動作を示すフローチャートである。
Ｓ１０１では、無線ＬＡＮ接続部１１は、家電製品４に接続する。このＳ１０１の接続処理は、図１の無線接続７１で説明したように、無線ＬＡＮルータ２を介さずに、スマートフォン１と家電製品４との直接接続を行うものである。そのため、スマートフォン１のユーザは、スマートフォン１の取扱説明書などを参考にしながら、無線ＬＡＮ接続部１１にＳ１０１のペアリング開始処理を実行させるための操作を入力する。
Ｓ１０２では、送受信部１０５は、無線ＬＡＮの接続情報をＳ１０１の家電製品４に送信する。この接続情報は、家電製品４が通常動作時に接続するときに使用するものである。
Ｓ１０３では、送受信部１０５は、Ｓ１０２への応答として、家電製品４から固有番号を受信する。
Ｓ１０４では、送受信部１０５は、家電製品４の送受信部４１から接続を切断される。この切断後に、無線ＬＡＮ接続部１１は、過去に接続されたＳＳＩＤのうちのいずれかの無線ＬＡＮルータ２に自動で接続する。なお、過去に接続されたＳＳＩＤは、そのパスワードと対応付けて、スマートフォン１の内部に履歴として保持されている。
Ｓ１０５では、操作部１０４は、Ｓ１０２で家電製品４へ送信した接続情報と、Ｓ１０３で家電製品４から受信した固有番号とを対応付けて接続情報１０３として保存する。
【００２４】
図９は、図８のペアリング動作後の接続確認の動作を示すフローチャートである。
Ｓ１１１では、判定部１０１は、Ｓ１０５で保存された家電製品４の接続情報１０３のＳＳＩＤを取得する。
Ｓ１１２では、判定部１０１は、現在のスマートフォン１（無線ＬＡＮ接続部１１）の接続情報を取得する。この接続情報とは、Ｓ１０４で前記したように、家電製品４から切断されたあとに自動的に接続される無線ＬＡＮルータ２のＳＳＩＤである。
Ｓ１１３では、判定部１０１は、Ｓ１１１のＳＳＩＤと、Ｓ１１２のＳＳＩＤとが一致するか否かを判定する。両接続情報（ＳＳＩＤ）が一致する（Ｓ１１３，Ｙｅｓ）ということは、図１の無線接続７４と無線接続７２とが同じ無線ＬＡＮルータ２ａに接続しているように、スマートフォン１が所望の家電製品４に向かう無線ＬＡＮルータ２ａへと接続できていることを意味する。
一方、両接続情報が不一致である（Ｓ１１３，Ｎｏ）ときには、判定部１０１は、スマートフォン１の現時点での接続先が間違いである旨を示す注意メッセージを表示部１０２に表示させる（Ｓ１１９）。
【００２５】
図１０は、ペアリングを済ませた家電製品４がアプリケーション１０から操作対象として選択されたときの接続動作を示すフローチャートである。以下、操作対象として選択された家電製品４を「選択製品」とする。
Ｓ１１１〜Ｓ１１３の各処理は、選択製品について図９に示した処理と同じである。つまり、現在のスマートフォン１の接続先が、選択製品を収容する無線ＬＡＮルータ２になっているため、スマートフォン１が所望の無線ＬＡＮルータ２へと接続できている場合である。
【００２６】
一方、Ｓ１１３でＮｏのときには、図９とは異なり、スマートフォン１が自律的に他の接続先を検索する。以下、Ｓ１１３でＮｏのときに行われる処理を説明する。
Ｓ１１４では、無線ＬＡＮ接続部１１は、スマートフォン１周辺の無線ＬＡＮの電波からＳＳＩＤ情報を取得する。
Ｓ１１５では、判定部１０１は、Ｓ１１４で取得した周辺の無線ＬＡＮのＳＳＩＤリストから、Ｓ１１１の家電製品４のＳＳＩＤと一致するものがあるか否かを判定する。Ｓ１１５でＹｅｓならＳ１１６に進み、ＮｏならＳ１１７に進む。
Ｓ１１６では、表示部１０２は、選択製品のＳＳＩＤと一致する周辺の無線ＬＡＮの接続情報を、新たな接続先の提案メッセージとしてユーザに提示する。
Ｓ１１７では、表示部１０２は、選択製品の宅内操作ができない旨の警告メッセージをユーザに提示する。
【００２７】
図１１は、図９，図１０で説明した各種メッセージの表示画面例である。
画面例２０１は、Ｓ１１９で表示される注意メッセージを示す。現在の接続先が異なる旨の注意に加え、接続情報１０３に格納されている正しい接続先のＳＳＩＤ＝Ｒ００１も表示されている。
画面例２０２は、Ｓ１１６で表示される提案メッセージを示す。周辺の無線ＬＡＮとして、接続情報１０３に格納されている正しい接続先のＳＳＩＤ＝Ｒ００１も表示されている。さらに、操作部１０４は、「Ｒ００１に接続切替」ボタンのタップをユーザから受け付けることにより、無線ＬＡＮ接続部１１は、ＳＳＩＤ＝Ｒ００１である無線ＬＡＮルータ２ａに接続を切り替える。
画面例２０３は、Ｓ１１７で表示される警告メッセージを示す。これにより、ユーザは、周辺の接続可能な無線ＬＡＮには、正しい接続先が存在しなかったことを把握する。
【００２８】
図１２は、図１の機器制御システムを構成する複数の装置に着目して、図８〜図１０の動作をわかりやすく説明するためのシーケンス図である。
Ｓ２１１では、家電製品４ａの送受信部４１は、家電製品４ａに備えられている物理ボタン（ペアリングボタン）の長押し操作などにより、ペアリングモードを起動し、家電製品４自身が無線ＬＡＮのアクセスポイントとなる。つまり、ペアリングモードは、図１の無線接続７１を確立するための準備である。そのため、家電製品４ａのユーザは、家電製品４ａの取扱説明書などを参考にしながら、家電製品４ａをペアリングモードにするための長押し操作などを入力する。
Ｓ２１２では、スマートフォン１は、ユーザからのアイコンのタップ操作などにより、家電製品４ａとペアリングするためのアプリケーション１０を起動する。このアプリケーション１０は、ペアリングモードの家電製品４ａに接続要求を送信する（Ｓ２１３，図８ではＳ１０１，Ｓ１０２）。この接続要求には、家電製品４ａに接続させる無線ＬＡＮルータ２ａのＳＳＩＤ＝Ｒ００１と、そのパスワード（ＰＷ）とが含まれる。
【００２９】
そして、家電製品４ａは、Ｓ２１３の接続要求に含まれる情報を接続情報４２として保存し、Ｓ２１３への応答として、自身の固有番号をスマートフォン１に送信する（Ｓ２１４，図８ではＳ１０３）。アプリケーション１０は、Ｓ２１３の接続要求のＳＳＩＤと、Ｓ２１４の固有情報とを対応付けて接続情報１０３として保存する（Ｓ２１５，図８ではＳ１０５）。
家電製品４ａは、Ｓ２１３で保存した接続情報４２（ＳＳＩＤ＝Ｒ００１）をもとに、無線ＬＡＮルータ２ａとの無線接続７２を開始する（Ｓ２１６）。
【００３０】
ここで、スマートフォン１は、Ｓ２１４の接続応答後にペアリングモードが解除された家電製品４ａとの接続が切断される（図８ではＳ１０４）。そのため、スマートフォン１は、前回接続した無線ＬＡＮルータ２ｂ（ＳＳＩＤ＝Ｒ００２）へ無線接続７３を形成する（Ｓ２２１）。しかし、無線ＬＡＮルータ２ｂは、家電製品４ａを収容していないので、仮に家電操作信号を無線ＬＡＮルータ２ｂに送信しても（Ｓ２２２）、その家電操作信号は家電製品４ａには転送されない（Ｓ２２３の失敗）。
【００３１】
よって、スマートフォン１は、現在の無線接続７３の接続情報を取得し（Ｓ２３１，図９ではＳ１１２）、その取得した接続情報とＳ２１５で保存した家電製品４ａの接続情報１０３との不一致による注意メッセージを表示部１０２に表示させる（Ｓ２３２，図９ではＳ１１９）。
これにより、ユーザから正しい接続先である無線接続７４が指定されることで、スマートフォン１は、家電製品４ａへと向かう無線ＬＡＮルータ２ａ（ＳＳＩＤ＝Ｒ００１）に接続する（Ｓ２３３）。そして、スマートフォン１は、家電製品４ａへの家電操作信号（Ｓ２３４）を、無線ＬＡＮルータ２ａ経由で家電製品４ａに送信できる（Ｓ２３５）。
【００３２】
以上説明した本実施形態では、家電製品４に送信したＳＳＩＤと、スマートフォン１が自動で接続するＳＳＩＤを比較し（図９のＳ１１３）、違っていた場合にはユーザに対して注意メッセージを表示し（Ｓ１１９）、家電製品４を操作する場合にスマートフォン１が接続しなければならないＳＳＩＤ情報を提示する。
また、スマートフォン１は、ペアリング時に、ペアリングを行った機器の固有番号と、ペアリング時に設定した無線ＬＡＮルータのＳＳＩＤとを対応付けた接続情報１０３として操作端末内に記憶する（図８のＳ１０５）。そして、スマートフォン１は、ユーザが家電製品４を選択した際、現在操作端末が接続している無線ＬＡＮルータがペアリング時に設定したものかどうかを判定し（図１０のＳ１１３）、違っていれば分かり易くユーザに提示する（Ｓ１１７）。
これにより、ユーザが家電製品４を操作する際に接続しなければならない無線ＬＡＮの接続先が、容易に分かるようになる。
【００３３】
なお、本発明は前記した実施例に限定されるものではなく、様々な変形例が含まれる。例えば、前記した実施例は本発明を分かりやすく説明するために詳細に説明したものであり、必ずしも説明した全ての構成を備えるものに限定されるものではない。
また、ある実施例の構成の一部を他の実施例の構成に置き換えることが可能であり、また、ある実施例の構成に他の実施例の構成を加えることも可能である。
また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。
また、前記の各構成、機能などは、プロセッサがそれぞれの機能を実現するプログラムを解釈し、実行することによりソフトウェアで実現してもよい。
【００３４】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤ（Digital Versatile Disc）などの記録媒体に置くことができる。
また、制御線や情報線は説明上必要と考えられるものを示しており、製品上必ずしも全ての制御線や情報線を示しているとは限らない。実際にはほとんど全ての構成が相互に接続されていると考えてもよい。
【符号の説明】
【００３５】
１      スマートフォン（第１通信機器）
２ａ，２ｂ  無線ＬＡＮルータ（無線ルータ）
４ａ，４ｂ  家電製品（第２通信機器）
１０    アプリケーション
１１    無線ＬＡＮ接続部（無線通信機能）
４１    送受信部（無線通信機能）
４２    接続情報
７１〜７６  無線接続
１０１  判定部
１０２  表示部
１０３  接続情報
１０４  操作部
１０５  送受信部
【図１】
2019161493.tif 000003
【図２】
2019161493.tif 000004
【図３】
2019161493.tif 000005
【図４】
2019161493.tif 000006
【図５】
2019161493.tif 000007
【図６】
2019161493.tif 000008
【図７】
2019161493.tif 000009
【図８】
2019161493.tif 000010
【図９】
2019161493.tif 000011
【図１０】
2019161493.tif 000012
【図１１】
2019161493.tif 000013
【図１２】
2019161493.tif 000014